【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
密閉した容器の中に、流体を再循環させるプロペラ（８）と狭い流路のなかにある複数の回転する円盤で、両面が滑らかな面をした円盤（３）と片側の面に多数の羽根（４）をつけた円盤（２）をひとつの回転体として構成された回転体および流体を再循環させる動力源（７）と回転体を回転させる動力源（６）で構成された機関。
【請求項２】
請求項１に記載の動力源は電気式モーターまたはエンジン式の機関。
【請求項３】
請求項１に記載の動力源、電気式モーターまたはエンジン式は独立して運転・停止および出力調整ができるように構成された機関。
【請求項４】
請求項１に記載の密閉容器は耐圧容器とするため、最外部の板（９）は相応の強度を保持するための材質および厚さの構造とした機関。
【請求項５】
請求項１に記載の密閉容器は製造・加工および維持メンテナンスを容易とするため最外部の板（９）を分割できる構造とした機関。
【請求項６】
請求項１に記載の密閉容器は内部の圧力を高めたり、下げたりすることができる構造を備えた機関。
【請求項７】
請求項１に記載の回転する円盤のうち１枚には再循環する流体が二枚の円盤の間を流れるための穴部（５）を円盤の中央部に複数個開けている機関。
【請求項８】
請求項１に記載の回転する円盤のうち１面には流体の流れを強制的に円盤が回転する方向に加速する直線状の羽根（４）を多数取り付けている機関。
【請求項９】
請求項１に記載の密閉容器の中を流れる流体の方向は、容器の中心部から外周方向へ流れる場合と、逆に外周方向から中心部へ流れるように構成された機関。
【請求項１０】
請求項１に記載の機関は密閉容器で無い場合、発生する性能に制限があるが同じ効果を生じることができる機関。
【請求項１１】
請求項１に記載の機関は再循環する流体を比重が大きい液体にしたり、ガス体の場合、圧力を高くすることで、小型の装置で大きな推進力を発生することができる機関。
【手続補正２】
【補正対象書類名】明細書
【補正対象項目名】全文
【補正方法】変更
【補正の内容】
【発明の詳細な説明】
【発明の名称】無反動推進力を発生する機関
【技術分野】
【０００１】  この発明は密閉した容器の中で流体を循環させ、それと同時に円盤を高速で回転させ、円盤に無反動推進力を発生する機関である。
【背景技術】
【０００２】  現在推進力と言われるものは、すべて反動力である。
流体・液体・水・空気・またはガスを噴射または後方へ移動させる時の反動力で推進している。
【発明の概要】
【発明が解決しようとする課題】
【０００３】  反動力の場合、ジェット機・ヘリコプターのように大きな騒音と振動を発生する。【０００４】  反動力の場合、ジェット機・ヘリコプターのように機体の推進・揚力のためにエネルギーの大半が流体を動かす動力に消費される。【０００５】  反動力の場合、ジェット機・ヘリコプターのようにエンジンや回転翼のそばに人は近づけない。【０００６】    反動力の場合、ジェット機・ヘリコプターのように住宅・人家の近くなどに近づけない。
【課題を解決するための手段】
【０００７】  この機関は密閉した容器の中で、流体・液体・ガス体を再循環させながら、その途中にある円盤（２）（３）（４）を高速で回転させる構造である。【０００８】  回転する円盤は、片側の面は滑らか面、他方の面には中心から外周方向へ一定間隔で真直ぐな多数の羽根（４）をつけたもの。【０００９】  羽根の付いた円盤（２）が回転しない場合は、ただ内部の流体が再循環するだけである。【００１０】  密閉容器の中の流体が再循環している状態で、羽根の付いた円盤（２）と滑らかな面を持った円盤（３）が同時に回転すると、そのそれぞれの表面において流速の違いが生じて、それと同時に静圧力の差が発生する。【００１１】  その流速の違いは、中心から外周方向へ同じ時間に同じ距離（Ｌ）動く場合、直線より曲線の方が道のりが長く、それだけ曲線の方が早く移動しなければならないことになる。【００１２】  これは「ベルヌーイの定理」に従ったものである。
流路の大きさが広いところから狭いところに流体が流れると、広いところは流速が遅く、狭いところは流速が速くなり、遅いところは静圧力が高く、速いところは静圧力が低くなる。【００１３】  「ベルヌーイの定理」の流速と圧力の関係は図７に示すとおりである。【００１４】  密閉容器の中の流体を比重が大きい液体にしたり、ガス体の場合、圧力を大きくすることで小型のものでも大きな力を発生することができる。
【発明の効果】
【００１５】  大きな騒音と振動を発生することなく、推進力を発生することができる。【００１６】  推進力・揚力を高いエネルギー効率で発生できる。【００１７】  回転部が密閉容器の中にあるため、人がそばに近づける。【００１８】  密閉容器の中の流体の密度を高めたり、圧力を高くすることで、小型で大きな力をつくることが出来る。【００１９】  この推進力は飛行機・自動車・船など、すべての乗り物・移動手段に使える。【００２０】  この推進力は乗り物以外にも使える。
【図面の簡単な説明】
【００２１】
【図１】  回転する円盤の断面図
【図２】  羽根の付いた円盤の平面図
【図３】  滑らかな面側の円盤の平面図
【図４】  羽根の付いた円盤側の流体の流れ方平面図
【図５】  滑らかな面の円盤側の流体の流れ方平面図
【図６】  ベルヌーイの定理が成り立つ流路の状態図
【図７】  ベルヌーイの定理の式
【図８】  飛行機の翼に揚力が発生する時の流体の流れ方を表す図。
【図９】  流れる流体の中で円柱が回転し、円柱に揚力が発生する状態図
【図１０】  無反動推進力を発生させる機関の構造断面図
【図１１】  無反動推進力を発生させる機関の構造断面図、図１０の場合と流体の流れる方向が逆なもの。
【図１２】  密閉容器でない場合の図
【発明を実施するための形態】
【００２２】  本発明の原理を説明するにあたり、現在輸送手段として空を飛んでいる飛行機の翼を考えると、翼の上側の面と下側の面上を流れる空気の流速（対面上）には差がある（図８参照）。
【００２３】  翼の上側の面はより速く下側の面上はより遅く流れるため「ベルヌーイの定理」に従い、上側が静圧力は低く、下側は静圧力が高くなる。
【００２４】  本発明を実施するための形態は密閉容器の中の流体を動かすプロペラ（８）と、狭い流路の途中にある回転する円盤およびそれぞれを回転させる動力（モーターまたはエンジン）（６）（７）で構成される。
【００２５】  密閉容器の中の流体は、液体・ガス体および圧力の高さなど適切な条件を選定し決定する。
【００２６】  流体を再循環させる流量、回転する円盤の回転速度および回転する羽根（４）のついた円盤の構造などは効率の高い条件を選定する。
【００２７】  流体の中の円柱（１２）が回転する時、揚力が発生するが、回転しない時は揚力が発生しない。
【００２８】  流体を再循環させるプロペラ（８）または狭い流路の途中にある円盤が同時に回転しない場合、推進力は発生しない。
【００２９】  流体が流れる方向は中心から外側へ流れる場合および逆に外周から中心へ流れる場合も推進力は発生する。
【００３０】  本発明を実施するための形態は密閉容器のみに限定されず、容器が一部開放されていても、狭い流路を流体が流れる状態で回転する円盤およびそれぞれを回転させる動力（６）（７）があれば推進力は発生する。
【００３１】  ただし前項の場合は密閉容器の時に比べ効率・能力が低下する。
【符号の説明】
【００３２】  １    羽根が付いた円盤を回転させる回転軸
２    羽根が付いた円盤
３    羽根が付いていない円盤
４    羽根
５    再循環する流体が通るための穴部
６    円盤を回転させる動力
７    流体を再循環させる動力
８    流体を再循環させるプロペラ
９    密閉容器の外側の板
１０    流体の流れる状態・方向
１１    流体を再循環させるプロペラの回転軸
１２    円柱